(57)【要約】【課題】電子棚システムにおいて、商品陳列作業時に商品の陳列位置が商品配列、商品表示が容易に行えて作業効率を向上させるとともに、顧客に価格情報、商品情報を効果的に伝えることができる商品表示装置を提供する。【解決手段】商品価格と商品情報を管理する管理装置と通信する通信手段と、通信手段より受信した商品価格と商品情報を記憶する記憶手段と、商品価格と商品情報を複数個表示する表示手段３２と、表示手段３２の表示領域を商品ごとに区切る表示領域設定手段３４、３５と備え、表示領域設定手段３４，３５により区切られた表示領域ごとに商品価格と商品情報を表示することにより、商品表示の容易に行う。【選択図】図２
2008210158.tif 000002
【特許請求の範囲】
【請求項１】
商品価格と商品情報を管理する管理装置と通信する通信手段と、
該通信手段より受信した商品価格と商品情報を記憶する記憶手段と、
商品価格と商品情報を複数個表示する表示手段と、
前記記憶手段に記憶された商品価格と商品情報を前記表示手段に表示制御する制御手段と、
前記表示手段の表示領域を商品ごとに区切る表示領域設定手段と備え、
前記制御手段は、前記表示領域設定手段により区切られた表示領域ごとに商品価格と商品情報を表示制御することを特徴とする商品表示装置。
【請求項２】
複数種類の商品を陳列する陳列棚の前端部に取設され、かつ前記陳列棚の棚幅に合わせて設けられることを特徴とする請求項１に記載の商品表示装置。
【請求項３】
前記表示領域設定手段により表示領域を設定後、当該領域に配置する商品コードを前記管理装置に送信することで、該領域に表示する商品価格と商品情報を前記管理装置から受信して表示することを特徴とする請求項１または２に記載の商品表示装置。
【請求項４】
前記表示領域設定手段は、前記表示手段に商品ごとに表示領域を区切る区切りマークを表示して設定することを特徴とする請求項１または２に記載の商品表示装置。
【請求項５】
前記表示領域設定手段は、商品棚の商品位置を検出して設定することを特徴とする請求項１または２に記載の商品表示装置。
【請求項６】
前記表示領域設定手段は、ICタグ付きの商品の種類と個数を検出して設定することを特徴とする請求項１または２に記載の商品表示装置。
【請求項７】
前記表示手段は、蛍光表示管を用いたことを特徴とする請求項１ないし６のいずれかに記載の商品表示装置。
【発明の詳細な説明】
【技術分野】
【０００１】
本発明は、スーパーマーケットやデパート等において商品の価格を表示する商品表示装置に関する。
【背景技術】
【０００２】
従来から、スーパーマーケットやデパート等において、複数の商品表示装置（電子棚札）をそれぞれ商品陳列位置の棚に配置するとともに、管理装置（電子棚札コントローラ）に無線などで接続し、商品の売価や値引き情報等の商品情報を表示し、売価変更等をリアルタイムで行ういわゆる電子棚札システムが既に実用化されている。顧客が購入した商品の代金をレジで清算する方法として、商品に貼付したバーコードラベルをレジで読取ることによって自動的に販売額を計算する方法が採用されている。
ところで、生鮮食品等のように市況により品目、価格、原産地などが頻繁に変更される商品も多く、その都度、商品表示装置は商品の名称などを電子棚札システムと連動したラベルプリンタを出力して貼付され、液晶（ＬＣＤ）で表示される価格を無線により変更している。また、特売、値引きなど顧客に有利な情報を伝えるために電子棚札の上部などに表示札を付設している。しかしながら、例えばアルバイトのような不慣れな作業員の場合、各商品の売場での陳列位置を正確に把握していない為、商品陳列に時間がかかる場合がある。また、たとえ熟練の作業者であっても、商品そのものが入れ替わったり、あるいは陳列位置が変更されたりする場合がある為、正確な商品陳列位置を全ての商品について把握しておくことは困難であり、結果的に商品陳列作業の効率が悪いという問題がある。
【０００３】
このような問題を解決するために、それぞれの商品陳列位置の棚に配置された商品表示装置にＬＥＤの発光手段を設け、対象商品の陳列位置をＬＥＤの発光により報告するシステムが考えられている。（例えば、特許文献１）。
【特許文献１】特開２００４−３５１４３号公報
【発明の開示】
【発明が解決しようとする課題】
【０００４】
しかしながら、陳列商品を交換する場合には、ショーケースのように数メートルも横幅の広い陳列棚では、商品位置を報告するＬＥＤランプが小さくて、商品の棚位置がわかり難く、商品ラベルを貼りかえる作業は手間を要する。顧客に特売情報、値引き情報などを伝える場合には、その情報を伝える札の設置、取外しに手間を要し、また、ＬＣＤで表示される価格は、暗くてわかりにくい。このように結果的に商品陳列作業の効率が悪く、顧客へのアピール度が低いという問題がある。
そこで、本発明は上記の点にかんがみなされたものであり、その目的は、商品陳列作業時に商品の陳列位置が商品配列、商品表示が容易に行えて作業効率を向上させるとともに、顧客に価格情報、商品情報を効果的に伝えることができる商品表示装置を提供することにある。
【課題を解決するための手段】
【０００５】
本発明の請求項１に係る商品表示装置は、商品価格と商品情報を管理する管理装置と通信する通信手段と、該通信手段より受信した商品価格と商品情報を記憶する記憶手段と、商品価格と商品情報を複数個表示する表示手段と、前記記憶手段に記憶された商品価格と商品情報を前記表示手段に表示制御する制御手段と、前記表示手段の表示領域を商品ごとに区切る表示領域設定手段と備え、前記制御手段は、前記表示領域設定手段により区切られた表示領域ごとに商品価格と商品情報を表示制御することを特徴とする。
また、本発明の請求項２に係る商品表示装置は、上記請求項１において、複数種類の商品を陳列する陳列棚の前端部に取設され、かつ前記陳列棚の棚幅に合わせて設けられることを特徴とする。
また、本発明の請求項３に係る商品表示装置は、上記請求項１または２において、前記表示領域設定手段により表示領域を設定後、当該領域に配置する商品コードを前記管理装置に送信することで、該領域に表示する商品価格と商品情報を前記管理装置から受信して表示することを特徴とする。
【０００６】
また、本発明の請求項４に係る商品表示装置は、上記請求項１または２において、前記表示領域設定手段は、前記表示手段に商品ごとに表示領域を区切る区切りマークを表示して設定することを特徴とする。
また、本発明の請求項５に係る商品表示装置は、上記請求項１または２において、前記表示領域設定手段は、商品棚の商品位置を検出して設定すること特徴とする。
また、本発明の請求項６に係る商品表示装置は、上記請求項１または２において、前記表示領域設定手段は、ICタグ付きの商品の種類と個数を検出して設定することを特徴とする。
また、本発明の請求項７に係る商品表示装置は、上記請求項１ないし６のいずれかにおいて、前記表示手段は、蛍光表示管を用いたことを特徴とする。
【発明の効果】
【０００７】
本発明の請求項１〜５に係る商品表示装置によれば、商品価格と商品情報を管理する管理装置と通信する通信手段と、該通信手段より受信した商品価格と商品情報を記憶する記憶手段と、商品価格と商品情報を複数個表示する表示手段と、前記記憶手段に記憶された商品価格と商品情報を前記表示手段に表示制御する制御手段と、前記表示手段の表示領域を商品ごとに区切る表示領域設定手段と備え、前記制御手段は、前記表示領域設定手段により区切られた表示領域ごとに商品価格と商品情報を表示制御するので、販売する商品を直接見ながら商品価格と商品情報を管理装置から受信し、商品の陳列する位置に表示できる結果、商品設定の作業効率が向上する。
本発明の請求項６に係る商品表示装置によれば、前記表示領域設定手段がICタグ付きの商品の種類と個数を検出して設定するので、前述の効果に加えて、陳列棚の商品在庫不足をいち早く判明できる結果、経営の効率が向上する。
【０００８】
本発明の請求項５に係る商品表示装置によれば、表示手段に蛍光表示管（VFD）を用いているので、表示がわかり易く、顧客に対する商品のアピール度を向上させることができる。
【発明を実施するための最良の形態】
【０００９】
以下に添付図面を参照して、本発明に係る好適な実施の形態を詳細に説明する。なお、この実施の形態によりこの発明が限定されるものではない。
（実施例１）
図１〜図５は本発明に係る商品表示装置の形態を示した実施例１の説明図である。図１は実施例1に係る全体システム構成図あり、図２は実施例1の商品表示装置の斜視図であり、図３は商品表示装置における表示部の表示例を示す。図４は商品表示装置のブロック図であり、図５は、価格および商品情報を表示する処理を示すフローチャートである。
図１において、本発明に係る商品表示装置の形態を示した全体システムは、スーパーマーケットの商品の販売、在庫などを管理するセンター管理装置１０と、ショーケース、商品棚台など商品を陳列する商品陳列台２０と、商品陳列台２０の棚に取設して商品の価格、商品情報を表示する商品表示装置３０と、商品に貼付したバーコードから商品コードを読取る商品読取装置４０とを有して構成されている。
【００１０】
より詳細に説明すると、センター管理装置１０は、商品名、価格、商品情報、販売状況などの商品データを作成、保存、発受信を管理する管理装置１１と、商品データを保存する記憶装置１２と、販売商品の販売を管理するＰＯＳ（Point of Sales）本体装置１３と、顧客が購入した商品の清算を行うレジ１４と、商品データを送受信する送受信器１５と、送受信したデータを中継する中継器１６とを有して構成されている。
管理装置１１は、スーパーマーケットの管理室に配置され、表示装置、中央処理装置（ＣＰＵ）、キーボード等から成る周知のハードウエア構成のパーソナルコンピュータによって構成されている。
記憶装置１２は、磁気ディスク等によって構成され、各商品コードに対応して、標準価格、値引き価格などの価格情報、商品の産地、賞味期限、特売商品表示などの商品情報、在庫数、販売数など管理情報を記憶している。
【００１１】
ＰＯＳ本体装置１３は、表示装置、ＣＰＵ、キーボード等から成る周知のハードウエア構成のコンピュータによって構成され、有線でレジ１４に接続されている。商品名、該商品の価格データ、在庫数量等の各種データは、管理装置１１、ＰＯＳ本体装置１３のいずれからも入力することが可能になっており、一方から入力されたデータは他方に送信され、前記データに変更される。これにより、管理装置１１、ＰＯＳ本体装置１３のいずれか一方で入力されたデータは、ＰＯＳ本体装置１２に接続された記憶装置（図示せず）に記憶されると共に、記憶装置１２に記憶され、データが一元管理される。
レジ１４は、店舗の出口付近に設置され、商品をバーコードで読み取り決済するＰＯＳ端末と金銭の清算を行う釣銭機により構成されている。
送受信器１５は、管理装置１１から商品名、価格、商品情報を商品表示装置３０に送信し、商品表示装置３０からの商品コードを受信するためのものであり、特定小電力方式の電波あるいはスペクトラム拡散（ＳＳ）方式の微弱電波等の無線を使用している。送受信するデータには、商品コードとともに商品表示装置３０を表すＩＤ番号、後述する中継器１６の機器番号を表すＩＤ番号が含められている。
【００１２】
中継器１６は、スーパーマーケット店内の所定位置に配設され、送受信器１５からの信号は受信され、商品表示装置３０へ送信するとともに、商品表示装置３０からの信号を送受信器１５へ送るためのものである。受信信号中の機器番号コードが中継器１６の機器番号コードと一致する場合には、中継器１６から、中継器１６が管轄する商品表示装置３０へ向けて商品データが送信される。また、通信方式は、微弱電波、赤外線あるいは有線にて低消費電力化されたものが使用される。
商品陳列台２０は、ショーケース、商品陳列台などで多段の陳列棚２１を有し、その棚の上にバーコード２３が貼付された商品２２を陳列している。
商品表示装置３０は、陳列された商品２２に対応して、商品名、価格、商品情報を表示する装置であり、陳列棚２１の先端に全幅に亘り取設されている。
【００１３】
商品表示装置３０は、図２〜４で示されるように、装置全体を制御する制御部（制御手段）３１、価格および商品情報などを表示する表示部（表示手段）３２、価格および商品情報など通信する通信部（通信手段）３３、価格および商品情報を表示する処理する操作ＳＷ３４、商品ごとに表示する領域を設定する商品区切り設定部３５（商品区切り設定部３５と操作ＳＷ３４を含めて表示領域設定手段）、これら電子部品を収納する筺体３６を備えている。
制御部３１は、装置全体を制御するＣＰＵ３１ａ、ＣＰＵ３１ａの処理プログラムが格納された読み出し専用メモリ（ＲＯＭ）３１ｂ、価格データ、商品情報等を記憶するランダムアクセスメモリ（ＲＡＭ）３１ｃ、商品表示装置３０に対応する８ビットのＩＤコードを設定するためのＩＤコード設定スイッチ３１ｄを備えている。
【００１４】
表示部３２は、グラフィックタイプ（縦３２ドット、横１２８０ドット）の蛍光表示管（ＶＦＤ）を複数枚繋げて構成され、陳列棚２１の先端部幅一杯に取設されている。電源は、商用電源もしくは２００Ｖを使用して、ＬＣＤと比較して輝度が高く、顧客が見やすい特徴がある。
表示のパターンは、図３に示すように商品ごとに商品表示領域３２ａ、価格表示領域３２ｂ、情報表示領域３２ｃに分割されて予め登録されている。また、商品ごとの区切りには、区切りマーク３２ｄが表示され、商品の陳列が広く区切りマーク３２ｄの間隔は広い場合には補助区切りマーク３２ｅが表示される。図３（ａ）の例では、一の商品表示を上下３段に分割して、上段を価格表示領域３２ｂ、中段もしくは下段を情報表示領域３２ｃもしくは商品表示領域３２ａとしている。図３（ｂ）の例では、一の商品表示を上下２段に分割して、上段に商品表示領域３２ａと価格表示領域３２ｂとして、矢印で表示される補助区切りマーク３２ｅを使用し、下段を情報表示領域３２ｃとしている。図３（ｃ）の例では、上下２段に分割して、上段を商品ごとに区切りマーク３２ｄを表示して、その間を商品表示領域３２ａと価格表示領域３２ｂとし、下段は全体を情報表示領域３２ｃとしている。また、下段の情報表示領域３２ｃは、２個の表示部３０に跨って表示をしても良い。また、区切りマーク３２ｄは、商品と商品との間隔が広い場合には、空白でも良い。
【００１５】
商品表示領域３２ａ、価格表示領域３２ｂ、情報表示領域３２ｃに表示される情報は、商品を陳列する際に管理装置１１から送信されて表示され、価格および商品情報は、タイムサービス時、特売日などのイベント時などに適宜管理装置１１から送信されて表示される。
通信部３３は、中継器１６と電波で信号の送受を行う電波送受信回路３３ａ、赤外線で信号を送受信する光送受信回路３３ｂを備えている。
電波送受信回路３３ａは、中継器１６からの信号の中で商品表示装置３０に対応するＩＤコードを含む商品データを受取し、ＣＰＵ３１ａによりＲＡＭ３３ｂに記憶させる。また、電波送受信回路３３ａは、商品の陳列時などでは、商品コードを表示装置３０のＩＤコードとともに中継器１６へ送信させる。
【００１６】
光送受信回路３３ｂは、顧客が商品の情報をさらに知りたい場合に携帯電話などにてアクセスするためのものである。アクセスすると管理装置１１に送信され、管理装置１１から商品に関するさらに詳しい情報が光送受信回路３３ｂを介して携帯電話に配信される。
操作ＳＷ３４は、図２に示されるように商品表示装置３０の端に取設され、商品名、価格および商品情報を表示する処理の操作を１つ進めるための操作順釦３４ａと、処理の操作順を１つ戻すための操作戻釦３４ｂ備えている。
商品区切り設定部３５は、操作ＳＷ３４の下方に位置する箇所に取設された左右の方向を示す２つの三角形の形状をした移動釦３５ａ、３５ｂを備えている。操作順釦３４ａを１回押圧すると、表示部３２に区切りマーク３２ｄが表示され、移動釦３５ａ、３５ｂを押圧することにより区切りマーク３２ｄが左右に移動をする。区切りマーク３２ｄの位置を移動することにより、区切りマーク３２ｄの間の領域が一の商品の表示領域となる。
【００１７】
筺体３６は、本体３６ａと透明な蓋体３６ｂにより構成され、本体３６ａの裏面で陳列棚板２１と締着し、端面には操作ＳＷ３４、移動釦３５ａ、３５ｂが取設されている。
商品読取装置４０は、図１で示すように全体を制御する制御部４１と、操作ＳＷおよび操作釦を有する操作部４２と、表示部４３と、商品２２のバーコード２３を読み取るバーコードリーダ４４と、商品表示装置３０の電波送受信回路３３ａと送受信する送受信部４５を備えている。
かかる構成で、商品表示の設定作業を図５のフローチャートにより説明をする。
陳列棚２１に商品２２を陳列して、操作順釦３４ａを押圧することにより表示部３２に区切りマーク３２ｄが表示される（Ｓ１１）。次に移動釦３５ａ、３５ｂ押圧することにより区切りマーク３２ｄが移動する（Ｓ１２）。区切りマーク３２ｄが適切な位置に達した操作順釦３４ａを押圧することにより区切りマーク３２ｄが確定して、商品表示範囲全体が点灯するとともに、確保された表示領域がＲＡＭ３１ｃに記憶される（Ｓ１３）。次に、商品読取装置４０のバーコードリーダ４４で商品２２のバーコード２３を読込み、そのバーコード２３のデータ（商品コード）を商品表示装置３０に送信する（Ｓ１４）。商品読取装置４０の送信部４５からデータを受信すると、操作順釦３４ａを押圧することにより商品表示装置３０は商品コードと商品表示装置３０のＩＤコードを中継器１６に送信し、中継器１６から中継器１６のＩＤコードを付して管理装置１１へ送信される（Ｓ１５）。管理装置１１は、商品コードに該当する商品名、価格、商品情報、中継器１６のＩＤコード、商品表示装置３０のＩＤコードを送信データとして中継器１６へ送信する。この送信データを商品表示装置３０は受信して、ＲＡＭ３１ｃに記憶させる（Ｓ１６）。次に、ＲＡＭ３１ｃに記憶された商品名、価格、商品情報が読み出され、表示部３２に表示される。（Ｓ１７）。これで良ければ、操作順釦３４ａを押圧することにより表示が確定して一の商品の表示が処理を終了する。かかる操作を棚に陳列される全ての商品に対して行うことにより表示の設定が完了する。
【００１８】
なお、この操作は、表示領域設定手段を商品区切り設定部３５と操作ＳＷ３４として説明をしたが、表示領域設定手段を商品読取装置４０の操作部４２を使用しても良い。
この構成によれば、商品２２と電子棚札を１対１につき合わせることなく、商品表示装置３０の表示部３２の適切な位置に自動的に商品名、価格、商品情報が表示されるので、作業効率を向上させることができる。
(実施例２)
本願の請求項３の発明に係る実施の形態を実施例２として図６〜図８に示す。実施例２に係る全体システム構成図は、図１と同一であり、図６は実施例２の商品表示装置３０の斜視図であり、図７は商品表示装置３０のブロック図であり、図８は、価格、商品情報を表示する処理を示すフローチャートである。
【００１９】
実施例２と相違する点は、表示領域設定手段が距離測定装置３７により構成され、区切りマーク３２ｄが距離測定装置３７により自動的に検出される点である。その他の構成は、実施例１と実質的に同一であるので、その説明を省略する。
商品表示装置３０は、図６、７で示されるように、制御部３１、表示部３２、通信部３３、操作ＳＷ３４、距離測定装置３７（距離測定装置３７と操作ＳＷ３４を含めて表示領域設定手段）、筺体３６を備えている。前述のように、実施例１と異なる点は、距離測定装置３７にあるので、距離測定装置３７について詳述する。
距離測定装置３７は、図６に示されるように反射型の距離センサ３７ａ，３７ａと、距離設定ピース３７ｂ，３７ｂを備えている。
反射型の距離センサ３７ａ，３７ａは、筐体３６の両側面部に取設され、光または超音波を発信して距離設定ピース３７ｂ，３７ｂから反射する距離を測定し、検出信号をＣＰＵ３０へ送るものである。
【００２０】
距離設定ピース３７ｂ，３７ｂは、筐体３６の裏面下部の凹部（図示せず）に入り込む形で挿設され、筐体３６の凹部は、距離設定ピース３７ｂ，３７ｂが陳列棚２１の幅方向を移動自在できるように形成されている。
かかる構成で、商品表示の設定作業を図８のフローチャートにより説明をする。
陳列棚２１に商品２２を陳列して、距離設定ピース３７ｂ，３７ｂを商品表示する位置にセットして、操作順釦３４ａを押圧することにより反射型の距離センサ３７ａ，３７ａは距離設定ピース３７ｂ，３７ｂとの距離を測定する（Ｓ２１）。制御部３１では、この距離より区切りマーク３２ｄの位置を算出して、表示部３２に区切りマーク３２ｄを表示する（Ｓ２２）。区切りマーク３２ｄが適切な位置に達したことを確認して操作順釦３４ａを押圧することにより区切りマーク３２ｄが確定して、商品表示範囲全体が点灯するとともに、確保された表示領域がＲＡＭ３１ｃに記憶される（Ｓ２３）。次に、商品読取装置４０のバーコードリーダ４４で商品２２のバーコード２３を読込み、そのバーコード２３のデータ（商品コード）を商品表示装置３０に送信する（Ｓ２４）。商品読取装置４０の送信部４５からデータを受信すると、操作順釦３４ａを押圧することにより商品表示装置３０は商品コードと商品表示装置３０のＩＤコードを中継器１６に送信し、中継器１６から中継器１６のＩＤコードを付して管理装置１１へ送信される（Ｓ２５）。管理装置１１は、商品コードに該当する商品名、価格、商品情報、中継器１６のＩＤコード、商品表示装置３０のＩＤコードを送信データとして中継器１６へ送信する。この送信データを商品表示装置３０は受信して、ＲＡＭ３１ｃに記憶させる（Ｓ２６）。次に、ＲＡＭ３１ｃに記憶された商品名、価格、商品情報が読み出され、表示部３２に表示される（Ｓ２７）。これで良ければ、操作順釦３４ａを押圧することにより表示が確定して一の商品の表示が処理を終了する。
【００２１】
この構成によれば、商品２２と電子棚札を１対１につき合わせることなく、距離設定ピース３７ｂ，３７ｂを商品表示する位置にセットするだけで、商品表示装置３０の表示部３２の適切な位置に自動的に商品名、価格、商品情報が表示されるが表示をされるので、作業効率を向上させることができる。
(実施例３)
本願の請求項４に係る発明を実施例３として図９〜図１２に示す。図９は実施例３に係る全体システム構成図であり、図１０は実施例３の商品表示装置の斜視図であり、図１１は商品表示装置のブロック図であり、図１２は、価格、商品情報を表示する処理を示すフローチャートである。
実施例１、２と相違する点は、表示領域設定手段が商品２２に貼付されたＩＣタグ２４を読み込む複数のアンテナ装置３８により構成され、各アンテナ装置３８により商品２２の種類と個数が検出され、その結果を演算して区切りマーク３２ｄが設定される点である。また、実施例３では、ＩＣタグ２４をアンテナ装置３８で読み込むために、商品読取装置４０が不要となる。その他の構成は、実施例１と実質的に同一であるので、その説明を省略する。
【００２２】
商品表示装置３０は、図１０、１１で示されるように、制御部３１、表示部３２、通信部３３、操作ＳＷ３４、アンテナ装置３８（アンテナ装置３８と操作ＳＷ３４を含めて表示領域設定手段）、筺体３６を備えている。前述のように、実施例１と異なる点は、アンテナ装置３８にあるので、アンテナ装置３８について詳述する。
アンテナ装置３８は、商品２２に貼付されたICタグ２４を読み取る装置であり、アンテナ３８ａと、制御演算部３８ｂとを備えている。
アンテナ３８ａは、陳列棚２１の下面に複数のアンテナ３８ａが棚全体を覆う態様で敷設されている。
制御演算部３８ｂは、アンテナ３８ａ内に載置されている商品２２に付設したＩＣタグ２４により、商品のコードと個数を算出して、そのデータ（信号）を商品表示装置３０へ出力する。
【００２３】
かかる構成で、商品表示の設定作業を図８のフローチャートにより説明をする。
陳列棚２１に商品２２を陳列して、操作順釦３４ａを押圧することにより商品表示装置３０のＲＡＭ３０ｃに記憶している商品コード、商品個数がリセットされる（Ｓ３１）。次に操作順釦３４ａを押圧することにより、制御部３１では、順次アンテナ装置３８からアンテナ３８ａ内に載置されている商品２２の商品のコードと個数を算出して、そのデータ（信号）を商品表示装置３０へ出力する（Ｓ３２Ｙ、Ｓ３３）。全てのアンテナ装置３８からの検出が終了すると（Ｓ３２Ｎ）、制御部３１では、陳列棚２１内に陳列されている商品のコードと個数を集計して、配置されている各アンテナ３８ａに対応している位置の表示部３２に区切りマーク３２ｄの割付を行い、表示部３２に区切りマーク３２ｄを表示する（Ｓ３４）。区切りマーク３２ｄが適切な位置に達したことを確認して操作順釦３４ａを押圧することにより区切りマーク３２ｄが確定して、商品表示範囲全体が点灯するとともに、確保された表示領域がＲＡＭ３１ｃに記憶される（Ｓ３５）。次に、操作順釦３４ａを押圧することにより商品表示装置３０は各商品の商品コード、商品個数と商品表示装置３０のＩＤコードを中継器１６に送信し、中継器１６から中継器１６のＩＤコードを付して管理装置１１へ送信される（Ｓ３６）。管理装置１１は、商品コードに該当する商品名、価格、商品情報、中継器１６のＩＤコード、商品表示装置３０のＩＤコードを送信データとして中継器１６へ送信する。この送信データを商品表示装置３０は受信して、ＲＡＭ３１ｃに記憶させる（Ｓ３７）。次に、ＲＡＭ３１ｃに記憶されたより商品名、価格、商品情報が読み出され、表示部３２に表示され（Ｓ３８）、商品の表示が処理を終了する。
【００２４】
この構成によれば、商品２２と電子棚札を１対１につき合わせることなく、アンテナ装置３８が陳列棚２１に載置されている商品２２の商品コードと個数を算出して、商品表示装置３０の表示部３２の適切な位置に自動的に商品名、価格、商品情報が表示されるので、作業効率を向上させることができる。しかも、陳列棚２１の商品２２の在庫状況が確認できるので、経営の効率が向上する。
【産業上の利用可能性】
【００２５】
以上のように、本発明は、例えばスーパーマーケットの販売管理を行う電子棚札システムに有用である。
【図面の簡単な説明】
【００２６】
【図１】図１は実施例1に係る全体システム構成図である。
【図２】図２は実施例1の商品表示装置の斜視図である。
【図３】図３は商品表示装置における表示部の表示例を示す。
【図４】図４は商品表示装置のブロック図である。
【図５】図５は、価格、商品情報を表示する処理を示すフローチャートである
【図６】図６は実施例２の商品表示装置の斜視図であり、図８は、価格、商品情報を表示する処理を示すフローチャートである。
【図７】図７は実施例２の商品表示装置のブロック図である。
【図８】図８は、実施例２の価格、商品情報を表示する処理を示すフローチャートである。
【図９】図９は実施例３に係る全体システム構成図である。
【図１０】図１０は実施例３の商品表示装置の斜視図である。
【図１１】図１１は実施例３の商品表示装置のブロック図である。
【図１２】図１２は、実施例３の価格、商品情報を表示する処理を示すフローチャートである。
【符号の説明】
【００２７】
１０  センター管理装置
１１  管理装置
１２  記憶装置
１３  ＰＯＳ本体装置
１４  レジ
１５  送受信器
１６  中継器
２０  商品陳列台
３０  表示装置
３１  制御部
３２  表示部
３２ａ  商品名表示領域
３２ｂ  価格表示領域
３２ｃ  商品情報表示領域
３２ｄ  区切りマーク
３３  通信部
３４  操作ＳＷ
３５  商品区切り設定部
３６  筐体
３７  距離測定装置
３８  アンテナ装置
４０  商品読取装置
【図１】
2008210158.tif 000003
【図２】
2008210158.tif 000004
【図３】
2008210158.tif 000005
【図４】
2008210158.tif 000006
【図５】
2008210158.tif 000007
【図６】
2008210158.tif 000008
【図７】
2008210158.tif 000009
【図８】
2008210158.tif 000010
【図９】
2008210158.tif 000011
【図１０】
2008210158.tif 000012
【図１１】
2008210158.tif 000013
【図１２】
2008210158.tif 000014